(57)【要約】【課題】傘立・傘スタンドと併用して設置でき、使用する必要のあるときに簡単に設置し、不要になったならば簡単に収納することができ、また、デザイン性に優れている傘ケース用スタンド。【解決手段】傘立に取り付け取り外し可能な脱着部と、当該脱着部に下端が取り付けられていて、上端が垂直方向で上方に向かって延びる支持部と、当該支持部の上端側に取り付けられていて水平方向に延びる支持腕とを備えている傘ケース用スタンド。【選択図】図１
0003146757.tif 000002
【実用新案登録請求の範囲】
【請求項１】
傘立に取り付け取り外し可能な脱着部と、
当該脱着部に下端が取り付けられていて、上端が垂直方向で上方に向かって延びる支持部と、
当該支持部の上端側に取り付けられていて水平方向に延びる支持腕と
を備えていることを特徴とする傘ケース用スタンド。
【請求項２】
前記脱着部は、対向している第一の側壁部と第二の側壁部及び、当該第一の側壁部と第二の側壁部との間を連結する連結部を有し、第一の側壁部にネジ体が螺合され、当該ネジ体の第一の側壁部内側に延びる先端に押圧片が取り付けられていて、当該ネジ体を前記第一の側壁部に対して締め付けることにより、前記押圧片と、前記第二の側壁部の内側面との間の間隔が狭められることを特徴とする請求項１記載の傘ケース用スタンド。
【考案の詳細な説明】
【技術分野】
【０００１】
この考案は、雨に濡れた傘を収容する傘ケースを吊り下げる傘ケース用スタンドに関し、特に、店舗や建物などの入り口などに配置されて傘を収容する傘立や、傘スタンドに取り付け、取り外しが可能な傘ケース用スタンドに関する。
【背景技術】
【０００２】
従来から、店舗や建物などの入り口などに配置されて傘を収容する傘立や傘スタンドに関しては種々の提案がされている（例えば、特許文献１、２）。
【０００３】
一方、このような傘立や傘スタンドに替えて、雨にぬれた傘を収容する傘ケースを店舗や建物などの入り口で配布することがある。この場合、店舗や建物などへの入場者は雨にぬれた傘をこの傘ケースの中に収用し、これを持って店舗や建物などへ入るようになっている。
【０００４】
この傘ケースに関しては、下端が閉鎖され、上端が開口している縦長で不定形の合成樹脂製の袋を袋収容装置に収用しておき、傘をこの袋収容装置に挿入することによって自動的に傘を前記合成樹脂製の袋に装入する提案がされている（例えば、特許文献３）。
【０００５】
また、前記の傘ケースに関しては、下端が閉鎖され、上端が開口している縦長の合成樹脂製であるが、定形のものも使用されている。
【０００６】
このような定形の傘ケースは、店舗や建物などの入り口などで所定の箇所に吊り下げられ、店舗や建物などへの入場者が一袋ずつ取り外して使用するのが一般的であった。
【特許文献１】特開平８−１７３２９９号公報
【特許文献２】特開２００６−５１２５６号公報
【特許文献３】特開平７−１４９３２５号公報
【考案の開示】
【考案が解決しようとする課題】
【０００７】
下端が閉鎖され、上端が開口している縦長の合成樹脂製で定形の傘ケースを店舗や建物などの入り口などで提供する形態に関しては、従来は、そのデザイン性などに関して特別な配慮はされていなかった。
【０００８】
特に、傘ケースは雨の降っている日のみに使用されるものであり、雨が降っている日に傘を差して来店、等した入の中には、傘ケースに傘を入れ、店内などに持って入るのではなく、傘立や傘スタンドに傘を置いて店内などに入ることを希望する人もいる。
【０００９】
そこで、この考案は、傘立・傘スタンドと併用して設置でき、使用する必要のあるときに簡単に設置し、不要になったならば簡単に収納することができる、デザイン性に優れた傘ケース用スタンドを提供することを目的にしている。
【課題を解決するための手段】
【００１０】
上記の目的のもとになされたこの考案は、次の通りのものである。
【００１１】
（請求項１）
傘立に取り付け取り外し可能な脱着部と、
当該脱着部に下端が取り付けられていて、上端が垂直方向で上方に向かって延びる支持部と、
当該支持部の上端側に取り付けられていて水平方向に延びる支持腕と
を備えていることを特徴とする傘ケース用スタンド。
【００１２】
（請求項２）
前記脱着部は、対向している第一の側壁部と第二の側壁部及び、当該第一の側壁部と第二の側壁部との間を連結する連結部を有し、第一の側壁部にネジ体が螺合され、当該ネジ体の第一の側壁部内側に延びる先端に押圧片が取り付けられていて、当該ネジ体を前記第一の側壁部に対して締め付けることにより、前記押圧片と、前記第二の側壁部の内側面との間の間隔が狭められることを特徴とする請求項１記載の傘ケース用スタンド。
【考案の効果】
【００１３】
この考案によれば、下端が閉鎖され、上端が開口している縦長の合成樹脂製で定形の傘ケースを店舗や建物などの入り口などで提供する場合に、傘立・傘スタンドと併用して設置でき、使用する必要のあるときに簡単に設置し、不要になったならば簡単に収納することが可能で、また、デザイン性に優れている傘ケース用スタンドを提供できる。
【考案を実施するための最良の形態】
【００１４】
以下、この考案の好適な実施の形態を添付の図を参照して説明する。
【００１５】
図１は、この考案の傘ケース用スタンド１が傘立１０に取り付けられ、下端が閉鎖され、上端が開口している縦長の合成樹脂製で定形の傘ケース１２ａ、１２ｂが吊下げられている状態の一例を表す斜視図である。図２は、図１図示の実施形態に使用されているこの考案の傘ケース用スタンド１の一例を表す斜視図である。
【００１６】
図示の傘ケース用スタンド１は、図２図示のように、脱着部２と、脱着部２に下端が取り付けられていて、上端が垂直方向で上方に向かって延びる支持部３と、支持部３の上端側に取り付けられていて水平方向に延びる支持腕４とを備えている。
【００１７】
脱着部２は、傘立１０に対して取り付け取り外し可能なものであって、この実施例で説明している傘ケース用スタンド１の脱着部２は、図４（ａ）〜（ｃ）図示のように構成されている。
【００１８】
脱着部２は、対向している第一の側壁部５ａと第二の側壁部５ｂ及び、第一の側壁部５ａと第二の側壁部５ｂとの間を連結する連結部６を有している。
【００１９】
第一の側壁部５ａにはネジ体７が螺合され、ネジ体７の第一の側壁部５ａ内側に延びる先端に押圧片９が取り付けられている（図４（ａ））。
【００２０】
ネジ体７の頭部８を矢印１７方向に回転させ、ネジ体７を第一の側壁部５ａに対して締め付けることにより、押圧片９は矢印１８（図４（ｂ））方向に前進する。これにより、押圧片９と、第二の側壁部５ｂの内側面との間の間隔が狭められる。
【００２１】
一方、ネジ体７の頭部８を矢印１９方向に回転させることにより、押圧片９は矢印２０（図４（ｃ））方向に後退し、押圧片９と、第二の側壁部５ｂの内側面との間の間隔が広げられる。
【００２２】
そこで、本考案の傘ケース用スタンド１を傘立１０に取り付けるときには、傘立１０の側片１１に脱着部２の開放されている側２２を、図１図示のように被せ、ネジ体７の頭部８を矢印１７方向（図４（ｂ））に回転させる。これにより、ネジ体７を第一の側壁部５ａに対して締め付け、押圧片９を矢印１８（図３（ｂ））方向に前進させる。こうして、押圧片９と、第二の側壁部５ｂの内側面との間の間隔を狭め、押圧片９と、第二の側壁部５ｂの内側面との間に傘立１０の側片１１を挟みつける（図３（ｂ））。
【００２３】
このようにして、傘立１０に取り付けられた傘ケース用スタンド１の支持腕４には、図１図示のように、下端が閉鎖され、上端が開口している縦長の合成樹脂製で定形の傘ケース１２ａ、１２ｂを、その取付紐部１３ａ、１３ｂを介して吊下げることができる。
【００２４】
一方、本考案の傘ケース用スタンド１を傘立１０から取り外すときには、図１図示の状態で、ネジ体７の頭部８を矢印１９方向（図４（ｃ））に回転させ、押圧片９を矢印２０（図３（ｃ））方向に後退させる。こうして、押圧片９と、第二の側壁部５ｂの内側面との間の間隔を広げる。これにより、傘立１０の側片１１が開放され、傘ケース用スタンド１を傘立１０から取り外すことができる。
【００２５】
なお、図示の実施形態では支持部３を、２本の棒状体３ａ、３ｂから構成したが、１本の棒状体で支持部３を構成することもできるし、図示していないが、板状体によって支持部３を構成することもできる。
【００２６】
脱着部２、支持部３、支持腕４、ネジ体７、押圧片９は、合成樹脂製、あるいは金属製とすることができる。
【００２７】
また、図示の実施形態では、支持腕４の先端に、図１図示のように吊り下げられた傘ケース１２ａ、１２ｂが簡単に抜き取れないように、ストッパーの役割を果たす球状体４ａ、４ｂが配備されている（図３）。
【００２８】
図３は、図１図示の実施形態とは異なる形態の傘立１４に本考案の傘ケース用スタンド１が取り付けられている状態を説明する斜視図である。
【００２９】
この場合も、脱着部２の第二の側壁部５ｂを傘立１４に形成されている孔１６に挿入するようにして、傘立１０の天板１５に脱着部２を被せる。そして、ネジ体７の頭部８を矢印１７方向（図４（ｂ））に回転させ、ネジ体７を第一の側壁部５ａに対して締め付ける。こうして、押圧片９を矢印１８（図４（ｂ））方向に前進させ、押圧片９と、第二の側壁部５ｂの内側面との間の間隔を狭め、押圧片９と、第二の側壁部５ｂの内側面との間に傘立１４の天板１５を挟みつける。
【００３０】
このようにして本考案の傘ケース用スタンド１は、傘立１０、１４に対して簡単に取り付けし、また、取り外すことができる。そこで、雨天の場合で傘立１０、１４を店舗の入り口などに設置するときに、上述したようにして傘ケース用スタンド１を傘立１０、１４に取り付け、図１図示のように傘ケース１２ａ、１２ｂを吊り下げて来店者、入場者の使用に供することができる。
【００３１】
一方、晴天になって、傘立１０、１４を仕舞い込むときには、前述したようにして、簡単に傘ケース用スタンド１を傘立１０、１４から取り外し、傘立１０、１４と一緒に傘ケース用スタンド１を仕舞い込むことができる。
【００３２】
なお、脱着部２は上述したようにして傘立１０、１４に取り付けるので、対向する第一の側壁部５ａと第二の側壁部５ｂとはいずれも垂直方向に延びていて、連結部６は、第一の側壁部５ａの上端側と、第二の側壁部５ｂの上端側との間、好ましくは、図示のように、第一の側壁部５ａの上端と、第二の側壁部５ｂの上端との間を水平状態で連結するようにしておくことが、図１、図３のように傘立１０、１４の水平方向に延びる側片１１に傘ケース用スタンド１を取り付けたときの安定性の観点から望ましい。
【００３３】
このように、図示している実施形態では、脱着部２に対して、図４（ｂ）に一点破線で表した方向から、支持部３（２本の棒状体３ａ、３ｂ）が取り付けられているが、この取り付け角度を、図４（ａ）に一点破線で表すように、図１〜図３、図４（ｂ）図示の状態から９０度回転させた状態にすることも可能である。
【００３４】
脱着部２に対する支持部３の取り付け角度を、図４（ａ）に一点破線で表すように、図１〜図３、図４（ｂ）図示の状態から９０度回転させた状態にすれば、脱着部２の開放されている側２２の箇所に、傘立１０の垂直方向に延びる支柱２１（図１）を挿入し、前述したのと同様にしてネジ体７を締め付け、押圧片９と、第二の側壁部５ｂの内側面との間に傘立１０の垂直方向に延びる支柱２１を挟みつけて、傘ケース用スタンド１を傘立１０の垂直方向に延びる部材に取り付けることができる。
【００３５】
以上、添付図面を参照して本考案の好ましい実施形態を説明したが、本考案はかかる実施形態に限定されることなく、実用新案登録請求の範囲の記載から把握される技術的範囲において種々の形態に変更可能である。
【００３６】
例えば、脱着部２に関しては、ネジ体７を第一の側壁部５ａに対して締め付け、あるいは締め付けを緩めることによって、傘スタンド１０、１４に取り付け、取り外す形態を説明したが、これに限られず、傘スタンド１０、１４に対して簡単に取り付け、取り外しができるものであれば、種々の形態を採用可能である。
【００３７】
そして、傘スタンド１０、１４に対して取り付け、取り外し可能な脱着部２の形態と、傘ケース１２ａの取付紐部１３ａが吊下げられる部分である支持腕４が水平方向に延びているという条件を少なくとも満たすようにして、脱着部２、支持部３、支持腕４、ネジ体７、押圧片９の外観、デザインを種々に変更することができる。
【００３８】
以上説明した通り、この考案によれば、下端が閉鎖され、上端が開口している縦長の合成樹脂製で定形の傘ケースを店舗や建物などの入り口などで提供する場合に、傘立て・傘スタンドと併用して設置でき、使用する必要のあるときに簡単に設置し、不要になったならば簡単に収納することができ、更に、デザイン性に優れている傘ケース用スタンドを提供することができる。
【図面の簡単な説明】
【００３９】
【図１】本考案の傘ケース用スタンドが傘立に取り付けられ、傘ケースが吊下げられている状態の一例を表す斜視図。
【図２】本考案の傘ケース用スタンドの一例を表す斜視図。
【図３】本考案の傘ケース用スタンドが、他の形態の傘立に取り付けられている状態の一例を表す斜視図。
【図４】（ａ）、（ｂ）、（ｃ）は本考案の傘ケース用スタンドの脱着部が傘立に取り付け、取り外しされる状態を説明する一部を省略した断面図。
【符号の説明】
【００４０】
１    傘ケース用スタンド
２    脱着部
３    支持部
４    支持腕
５ａ  第一の側壁部
５ｂ  第二の側壁部
６    連結部
７    ネジ体
９    押圧片
１０、１４  傘立
１２ａ、１２ｂ  傘ケース
【図１】
0003146757.tif 000003
【図２】
0003146757.tif 000004
【図３】
0003146757.tif 000005
【図４】
0003146757.tif 000006